(57)【特許請求の範囲】
【請求項１】
被験者から採取された検体の測定と前記検体の再測定を自動で実行可能な検体分析装置であって、
検体を測定する測定部と、
測定部によって検体を測定して得られた第１測定結果及び前記検体を再び測定して得られた第２測定結果を含む複数の測定結果を記憶するための記憶部と、
ツールバー表示領域とメイン表示領域を備えており、記憶部に記憶されている一の測定結果を前記メイン表示領域に表示した結果画面を表示する表示部と、
前記測定部、前記記憶部および前記表示部を制御するための制御部と、を備え、
前記制御部は、再測定が行われた検体の第１及び第２測定結果の一方を前記結果画面のメイン領域に表示する場合、その検体の他方の測定結果を表示する指示を入力するための入力手段と前記一方の測定結果とを前記メイン領域に表示させ、表示指示が入力されると、前記一方の測定結果に代えて前記他方の測定結果を前記メイン領域に表示させる、検体分析装置。
【請求項２】
前記制御部は、前記他方の測定結果を前記メイン領域に表示する場合、前記一方の測定結果を表示する指示を入力するための第２入力手段と前記他方の測定結果とを前記メイン領域に表示させ、前記第２入力手段による表示指示が入力されると、前記一方の測定結果と前記入力手段を前記メイン領域に表示させる、請求項１に記載の検体分析装置。
【請求項３】
前記制御部は、
再測定が行われた検体の第１測定結果を表示する場合、及び、前記検体の第２測定結果を表示する場合、その検体について第１測定結果が記憶されていることを示す第１の文字及び／又は図形を前記メイン領域に表示するとともに、第２測定結果が記憶されていることを示す第２の文字及び／又は図形を前記メイン領域に表示させる、請求項１又は２に記載の検体分析装置。
【請求項４】
前記制御部は、
再測定が行われた検体の第１測定結果を表示する場合、第２の文字及び／又は図形を、第２測定結果を表示する指示を入力するための入力手段として機能させ、
再測定が行われた検体の第２測定結果を表示する場合、第１の文字及び／又は図形を、第１測定結果を表示する指示を入力するための入力手段として機能させる、請求項３に記載の検体分析装置。
【請求項５】
前記測定部を複数備え、
前記第１の文字及び／又は図形は、第１測定結果に対応する測定を行った測定部を識別する識別情報の文字列を含み、
前記第２の文字及び／又は図形は、第２測定結果に対応する測定を行った測定部を識別する識別情報の文字列を含む、請求項３または４に記載の検体分析装置。
【請求項６】
前記記憶部は、再測定が行われた検体を再び測定して得られた第３測定結果を記憶することが可能であり、
前記制御部は、少なくとも３回測定が行われた検体の第１測定結果を表示する場合、その検体の第２及び第３測定結果のいずれか一つを表示する指示を入力するための第３入力手段と第１測定結果とを前記メイン領域に表示させ、第３入力手段によって表示指示が入力されると、表示が指示された測定結果を前記メイン領域に表示させる、請求項１ないし５のいずれか一項に記載の検体分析装置。
【請求項７】
前記制御部は、少なくとも３回測定が行われた検体について第１測定結果を表示する場合、その検体について第１測定結果が記憶されていることを示す第１の文字及び／又は図形と、前記検体について第２測定結果が記憶されていることを示す第２の文字及び／又は図形と、前記検体について第３測定結果が記憶されていることを示す第３の文字及び／又は図形を前記メイン領域に表示させる、請求項６に記載の検体分析装置。
【請求項８】
前記制御部は、少なくとも３回測定が行われた検体について第１測定結果を表示する場合、第２の文字及び／又は図形を、第２測定結果を表示する指示を入力するための入力手段として機能させるとともに、第３の文字及び／又は図形を、第３測定結果を表示する指示を入力するための入力手段として機能させる、請求項７に記載の検体分析装置。
【請求項９】
第１ないし第３の文字及び／又は図形は、対応する測定が行われた順に一列に並んで表示される、請求項７または８に記載の検体分析装置。
【請求項１０】
前記制御部は、測定結果を承認するための承認入力手段を表示部に表示させる、請求項１ないし９のいずれか一項に記載の検体分析装置。
【請求項１１】
前記結果画面の前記メイン領域は、少なくとも、複数の測定項目の数値データが表示される数値データ領域と、検体に含まれる成分の分布図が表示される分布図領域とを含む、請求項１ないし１０のいずれか一項に記載の検体分析装置。
【請求項１２】
前記測定部は、検体を測定して得られた測定結果が所定の条件を満たす場合に、前記検体を、自動的に再測定する、請求項１ないし１１のいずれか一項に記載の検体分析装置。
【請求項１３】
被験者から採取された検体の測定と前記検体の再測定を自動で実行可能な検体分析システムであって、
検体を測定する複数の測定部と、
複数の測定部によって検体を測定して得られた測定結果を管理する測定結果管理装置と、を備え、
測定結果管理装置は、
複数の測定部のいずれかによって検体を測定して得られた第１測定結果、及び複数の測定部のいずれかによって前記検体を再び測定して得られた第２測定結果を含む複数の測定結果を記憶するための記憶部と、
ツールバー表示領域とメイン表示領域を備えており、記憶部に記憶されている一の測定結果を前記メイン表示領域に表示した結果画面を表示する表示部と、
前記複数の測定部、前記記憶部および前記表示部を制御するための制御部と、を備えており、
前記制御部は、再測定が行われた検体の第１及び第２測定結果の一方を前記結果画面の前記メイン領域に表示する場合、その検体の他方の測定結果を表示する指示を入力するための入力手段と前記一方の測定結果とを前記メイン領域に表示させ、表示指示が入力されると、前記一方の測定結果に代えて前記他方の測定結果を前記メイン領域に表示させる、検体分析システム。
【請求項１４】
被験者から採取された検体の測定と前記検体の再測定を自動で実行可能な検体分析装置に備えられ、検体の測定結果を管理する測定結果管理装置であって、
前記検体分析装置の測定部で検体を測定して得られた第１測定結果及び前記検体を再び測定して得られた第２測定結果を含む複数の測定結果を記憶する記憶部と、
ツールバー表示領域とメイン表示領域を備えており、記憶部に記憶されている一の測定結果を前記メイン表示領域に表示した結果画面を表示する表示部と、
前記測定部、前記記憶部および前記表示部を制御するための制御部と、を備え、
前記制御部は、再測定が行われた検体の第１及び第２測定結果のいずれか一方を前記結果画面の前記メイン表示領域に表示する場合、他方の測定結果を表示する指示を入力するための入力手段と前記一方の測定結果とを前記メイン表示領域に表示させ、表示指示が入力されると、前記一方の測定結果に代えて前記他方の測定結果を前記メイン表示領域に表示させる、測定結果管理装置。
【請求項１５】
記憶部と表示部と測定部とを備え、被験者から採取された検体の測定と前記検体の再測定を自動で実行可能な検体分析装置において、前記測定部、前記記憶部および前記表示部を制御するコンピュータを、測定結果を管理する測定結果管理装置として機能させるためのコンピュータプログラムであって、
前記記憶部は、検体を測定して得られた第１測定結果及び前記検体を再び測定して得られた第２測定結果を含む複数の測定結果を記憶しており、
コンピュータプログラムは、
再測定が行われた検体の第１及び第２測定結果のいずれか一方を、ツールバー表示領域とメイン表示領域を備えた結果画面に表示する場合、他方の測定結果を表示する指示を入力するための入力手段と前記一方の測定結果とを前記メイン表示領域に表示した前記結果画面を前記表示部に表示させ、表示指示が入力されると、前記一方の測定結果に代えて前記他方の測定結果を前記メイン表示領域に表示した前記結果画面を前記表示部に表示させる、コンピュータプログラム。
【発明の詳細な説明】
【技術分野】
【０００１】
本発明は、検体を測定して得られた測定結果を表示する表示部を備えた検体分析装置および検体分析システムに関する。さらに、本発明は、検体を測定して得られた測定結果を記憶し表示する測定結果管理装置及びコンピュータを動作させるコンピュータプログラムに関する。
【背景技術】
【０００２】
従来、検体を測定して得られた測定結果を表示する検体分析装置が知られており、特許文献１がその具体例として挙げられる。
【０００３】
特許文献１には、検体を測定して粒子測定データを生成する測定装置と、測定装置から受信した粒子測定データを分析して、数値データ、粒度分布図及びスキャッタグラムを含む詳細情報を生成するコンピュータとを備える分析装置が開示されている。コンピュータは、ディスプレイを備えており、特許文献１の図３に示されるように複数の検体の数値データをディスプレイに一覧表示することができる。操作者は、一覧表示された検体の中から一の検体を選択することで、同文献の図１及び図２に示されるように、粒度分布やスキャッタグラムといった詳細情報を表示させることができる。
【先行技術文献】
【特許文献】
【０００４】
【特許文献１】特開２００７−７８５０８号公報
【発明の概要】
【発明が解決しようとする課題】
【０００５】
医師や臨床検査技師が測定結果を参照する場合、一つの測定結果だけでなく、それに関連する他の測定結果を参照することがある。例えば、再検が行われた検体の測定結果を承認するか否かを判断する際には、その検体の再検の測定結果だけでなく、同一検体の初検の測定結果を参照することがある。また、ある患者から得られた検体の測定結果を承認するか否かを判断する際には、その患者から得られた過去の検体の測定結果を参照することもある。
【０００６】
しかしながら、上記特許文献１に記載の装置では、ある測定結果の詳細情報を表示しているときに、表示中の測定結果に関連する測定結果の詳細情報を表示するには、一旦詳細表示画面を閉じ、一覧表示画面を開き、その中から関連する測定結果を検索し、検索された測定結果の詳細表示画面を表示させる操作が必要であった。
【０００７】
本発明は、上記課題を解決するためになされたものであり、検体の測定結果を承認するか否かを判断する際に、表示中の測定結果の検体について他の測定結果がある場合、他の測定結果を簡単な操作で表示させることが可能な検体分析装置を提供することを目的とする。
【課題を解決するための手段】
【０００８】
本発明の第１局面による検体分析装置は、被験者から採取された検体の測定と前記検体の再測定を自動で実行可能な検体分析装置であって、検体を測定する測定部と、測定部によって検体を測定して得られた第１測定結果及び前記検体を再び測定して得られた第２測定結果を含む複数の測定結果を記憶するための記憶部と、ツールバー表示領域とメイン表示領域を備えており、記憶部に記憶されている一の測定結果を前記メイン表示領域に表示した結果画面を表示する表示部と、前記測定部、前記記憶部および前記表示部を制御するための制御部と、を備え、前記制御部は、再測定が行われた検体の第１及び第２測定結果の一方を前記結果画面のメイン領域に表示する場合、その検体の他方の測定結果を表示する指示を入力するための入力手段と前記一方の測定結果とを前記メイン領域に表示させ、表示指示が入力されると、前記一方の測定結果に代えて前記他方の測定結果を前記メイン領域に表示させる。
【０００９】
この構成によれば、再測定が行われた検体の測定結果を表示する場合、第１及び第２測定結果の一方が表示された第１結果画面に、他方の測定結果を表示する指示を入力するための入力手段が表示される。操作者は、この第１結果画面に入力手段が表示された状態で表示指示を入力するのみで、他方の測定結果を含む第２結果画面を表示させることができる。したがって、操作者は、表示中の測定結果と同一検体の測定結果を表示させるために、第１結果画面を閉じて検索画面を開いたり、検索画面において検索クエリを入力したりする操作を行う必要がない。
【００１０】
上記第１の局面において、制御部は、第２結果画面を表示する場合、前記第１結果画面を表示する指示を入力するための第２入力手段を含む第２結果画面とともに表示部に表示させ、第２入力手段によって表示指示が入力されると、第１結果画面を表示部に表示させることが好ましい。
【００１１】
上記第１の局面において、制御部は、再測定が行われた検体の第１測定結果を表示する場合、及び、前記検体の第２測定結果を表示する場合、その検体について第１測定結果が記憶されていることを示す第１の文字及び／又は図形を表示するとともに、第２測定結果が記憶されていることを示す第２の文字及び／又は図形を表示させ、再測定が行われていない検体の第１測定結果を表示する場合、第１測定結果が記憶されていることを示す第１の文字及び／又は図形のみを表示させることが好ましい。
【００１２】
上記第１の局面において、制御部は、再測定が行われた検体の第１測定結果を表示する場合、第２の文字及び／又は図形を、第２測定結果を表示する指示を入力するための入力手段として機能させ、再測定が行われた検体の第２測定結果を表示する場合、第１の文字及び／又は図形を、第１測定結果を表示する指示を入力するための入力手段として機能させることが好ましい。
【００１３】
上記第１の局面において、前記測定部を複数備え、前記第１の文字及び／又は図形は、第１測定結果に対応する測定を行った測定部を識別する識別情報の文字列を含み、前記第２の文字及び／又は図形は、第２測定結果に対応する測定を行った測定部を識別する識別情報の文字列を含むことが好ましい。
【００１４】
上記第１の局面において、記憶部は、再測定が行われた検体を再び測定して得られた第３測定結果をも記憶することが可能であり、制御部は、少なくとも３回測定が行われた検体の第１測定結果を表示する場合、その検体の第２及び第３測定結果のいずれか一つを表示する指示を入力するための第３入力手段と、第１測定結果とを含む第１結果画面を表示部に表示させ、第３入力手段によって表示指示が入力されると、表示が指示された測定結果を含む第２結果画面を表示部に表示させることが好ましい。
【００１５】
上記第１の局面において、制御部は、少なくとも３回測定が行われた検体について第１測定結果を表示する場合、その検体について第１測定結果が記憶されていることを示す第１の文字及び／又は図形と、前記検体について第２測定結果が記憶されていることを示す第２の文字及び／又は図形と、前記検体について第３測定結果が記憶されていることを示す第３の文字及び／又は図形を表示させることが好ましい。
【００１６】
上記第１の局面において、制御部は、少なくとも３回測定が行われた検体について第１測定結果を表示する場合、第２の文字及び／又は図形を、第２測定結果を表示する指示を入力するための入力手段として機能させるとともに、第３の文字及び／又は図形を、第３測定結果を表示する指示を入力するための入力手段として機能させることが好ましい。
【００１７】
上記第１の局面において、第１ないし第３の文字及び／又は図形は、対応する測定が行われた順に一列に並んで表示される好ましい。
【００１８】
上記第１の局面において、制御部は、第１乃至第３の文字及び／又は図形のうち、表示されている測定結果に対応する文字及び／又は図形を、他の文字及び／又は図形と異なる表示形式で表示させることが好ましい。
【００２０】
上記第１の局面において、結果画面は、少なくとも、複数の測定項目の数値データが表示される数値データ領域と、検体に含まれる成分の分布図が表示される分布図領域とを含むことが好ましい。
【００２１】
上記第１の局面において、測定部は、検体を測定して得られた測定結果が所定の条件を満たす場合に、前記検体を、自動的に再測定することが好ましい。
【００２８】
本発明の第２の局面による検体分析システムは、被験者から採取された検体の測定と前記検体の再測定を自動で実行可能な検体分析システムであって、検体を測定する複数の測定部と、複数の測定部によって検体を測定して得られた測定結果を管理する測定結果管理装置と、を備え、測定結果管理装置は、複数の測定部のいずれかによって検体を測定して得られた第１測定結果、及び複数の測定部のいずれかによって前記検体を再び測定して得られた第２測定結果を含む複数の測定結果を記憶するための記憶部と、ツールバー表示領域とメイン表示領域を備えており、記憶部に記憶されている一の測定結果を前記メイン表示領域に表示した結果画面を表示する表示部と、前記複数の測定部、前記記憶部および前記表示部を制御するための制御部と、を備えており、前記制御部は、再測定が行われた検体の第１及び第２測定結果の一方を前記結果画面の前記メイン領域に表示する場合、その検体の他方の測定結果を表示する指示を入力するための入力手段と前記一方の測定結果とを前記メイン領域に表示させ、表示指示が入力されると、前記一方の測定結果に代えて前記他方の測定結果を前記メイン領域に表示させる。
【００２９】
この構成によれば、再測定が行われた検体の測定結果を表示する場合、第１及び第２測定結果の一方が表示された第１結果画面に、他方の測定結果を表示する指示を入力するための入力手段が表示される。操作者は、この第１結果画面に入力手段が表示された状態で表示指示を入力するのみで、他方の測定結果を含む第２結果画面を表示させることができる。したがって、操作者は、表示中の測定結果と同一検体の測定結果を表示させるために、第１結果画面を閉じて検索画面を開いたり、検索画面において検索クエリを入力したりする操作を行う必要がない。
【００３０】
本発明の第３の局面による測定結果管理装置は、被験者から採取された検体の測定と前記検体の再測定を自動で実行可能な検体分析装置に備えられ、検体の測定結果を管理する測定結果管理装置であって、前記検体分析装置の測定部で検体を測定して得られた第１測定結果及び前記検体を再び測定して得られた第２測定結果を含む複数の測定結果を記憶する記憶部と、ツールバー表示領域とメイン表示領域を備えており、記憶部に記憶されている一の測定結果を前記メイン表示領域に表示した結果画面を表示する表示部と、前記測定部、前記記憶部および前記表示部を制御するための制御部と、を備え、前記制御部は、再測定が行われた検体の第１及び第２測定結果のいずれか一方を前記結果画面の前記メイン表示領域に表示する場合、他方の測定結果を表示する指示を入力するための入力手段と前記一方の測定結果とを前記メイン表示領域に表示させ、表示指示が入力されると、前記一方の測定結果に代えて前記他方の測定結果を前記メイン表示領域に表示させる。
【００３１】
この構成によれば、再測定が行われた検体の測定結果を表示する場合、第１及び第２測定結果の一方が表示された第１結果画面に、他方の測定結果を表示する指示を入力するための入力手段が表示される。操作者は、この第１結果画面に入力手段が表示された状態で表示指示を入力するのみで、他方の測定結果を含む第２結果画面を表示させることができる。したがって、操作者は、表示中の測定結果と同一検体の測定結果を表示させるために、第１結果画面を閉じて検索画面を開いたり、検索画面において検索クエリを入力したりする操作を行う必要がない。
【００３２】
本発明の第４の局面によるコンピュータプログラムは、記憶部と表示部と測定部とを備え、被験者から採取された検体の測定と前記検体の再測定を自動で実行可能な検体分析装置において、前記測定部、前記記憶部および前記表示部を制御するコンピュータを、測定結果を管理する測定結果管理装置として機能させるためのコンピュータプログラムであって、前記記憶部は、検体を測定して得られた第１測定結果及び前記検体を再び測定して得られた第２測定結果を含む複数の測定結果を記憶しており、コンピュータプログラムは、再測定が行われた検体の第１及び第２測定結果のいずれか一方を、ツールバー表示領域とメイン表示領域を備えた結果画面に表示する場合、他方の測定結果を表示する指示を入力するための入力手段と前記一方の測定結果とを前記メイン表示領域に表示した前記結果画面を前記表示部に表示させ、表示指示が入力されると、前記一方の測定結果に代えて前記他方の測定結果を前記メイン表示領域に表示した前記結果画面を前記表示部に表示させる。
【００３３】
この構成によれば、再測定が行われた検体の測定結果を表示する場合、第１及び第２測定結果の一方が表示された第１結果画面に、他方の測定結果を表示する指示を入力するための入力手段が表示される。操作者は、この第１結果画面に入力手段が表示された状態で表示指示を入力するのみで、他方の測定結果を含む第２結果画面を表示させることができる。したがって、操作者は、表示中の測定結果と同一検体の測定結果を表示させるために、第１結果画面を閉じて検索画面を開いたり、検索画面において検索クエリを入力したりする操作を行う必要がない。
【発明の効果】
【００３４】
本発明によれば、検体の測定結果を承認するか否かを判断する際に、表示中の測定結果の検体について他の測定結果がある場合、他の測定結果を簡単な操作で表示させ、参照することができる。
【００３５】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００３６】
【図１】実施の形態に係る検体分析装置の全体構成を示す斜視図である。
【図２】実施の形態に係る検体分析装置内を上側から見た場合の構成を示す平面図である。
【図３】実施の形態に係る情報処理ユニットの構成を示すブロック図である。
【図４】実施の形態に係る測定結果リストのデータ構造を模式的に示す図である。
【図５】実施の形態に係る検体分析装置の動作を示すフローチャートである。
【図６】実施の形態に係るオーダリストのデータ構造を模式的に示す図である。
【図７】実施の形態に係る検体分析装置における再検判定ルールを示すフローチャートである。
【図８】実施の形態に係る表示処理を示すフローチャートである。
【図９】図８のフローチャートのサブルーチンを示すフローチャートである。
【図１０】実施の形態に係るメニュー画面の例示図である。
【図１１】実施の形態に係るサンプルエクスプローラ画面の例示図である。
【図１２】実施の形態に係るデータブラウザ画面の例示図である。
【図１３】他の実施の形態に係る検体分析システムの概略平面図である。
【図１４】他の実施の形態に係るデータブラウザ画面の例示図である。
【図１５】他の実施の形態に係る表示指示の入力方法を説明するための図である。
【発明を実施するための形態】
【００３７】
［検体分析装置の構成］
図１は、本実施の形態に係る検体分析装置の斜視図である。本実施の形態に係る検体分析装置１００は、真空採血管からなる検体容器Ｔに収容された血液検体を測定し、血液検体に含まれる血球を白血球、赤血球、血小板等に分類し、各血球を計数する多項目血球分析装置である。
【００３８】
図１に示す検体分析装置１００は、２台の測定ユニット２、３と、測定ユニット２、３の前面側に配置された検体搬送ユニット４と、測定ユニット２、３及び検体搬送ユニット４を制御する情報処理ユニット５とを備えている。
【００３９】
［測定ユニットの構成］
図２は、図１に示した検体分析装置１００の構成を示す模式図である。測定ユニット２は、検体搬送ユニット４の検体の搬送方向の上流側（Ｘ２方向側）に配置され、測定ユニット３は、搬送方向の下流側（Ｘ１方向側）に配置されている。
【００４０】
図２に示すように、測定ユニット２は、血液検体を検体容器（採血管）Ｔから吸引する検体吸引部２１と、検体吸引部２１により吸引した血液から血球等の血液成分の測定に用いられる測定試料を調製する試料調製部２２と、試料調製部２２により調製した測定試料から血球を検出する検出部２３とを有している。
【００４１】
また、測定ユニット２は、検体搬送ユニット４によって搬送された検体ラックＬに収容された検体容器Ｔを測定ユニット２の内部に取り込むための取込口２４（図１参照）と、検体ラックＬから検体容器Ｔを測定ユニット２の内部に取り込み、検体吸引部２１による吸引位置２１ａまで検体容器Ｔを搬送する検体容器搬送部２５とをさらに有している。
【００４２】
検体容器搬送部２５は、検体容器Ｔを把持可能なハンド部２５ａと、検体容器Ｔを挿入可能な穴部を有する検体容器セット部２５ｂを備えている。ハンド部２５ａは、上下方向及び前後方向（Ｙ１及びＹ２方向）に移動可能であり、検体ラックＬに収容された検体容器Ｔを把持し、検体ラックＬから抜き出し、検体容器セット部２５ａにセットする。検体容器セット部２５ｂが後方（Ｙ２方向）に移動することで、検体容器Ｔが測定ユニット２の内部に取り込まれ、吸引位置２１ａまで検体容器Ｔが搬送される。
【００４３】
［検体搬送ユニットの構成］
検体搬送ユニット４は、測定前の検体容器を保持した検体ラックＬが配置される測定前ラック保持部４１と、検体ラックＬを左右（Ｘ１方向及びＸ２方向）に搬送する搬送路４２と、測定後の検体容器を保持した検体ラックＬが配置される測定後ラック保持部４４とを備える。検体搬送ユニット４は、さらに、搬送路４２によって搬送される検体ラックに保持された検体容器Ｔに貼付されたバーコードラベルを読み取るバーコードリーダ４３を備える。検体容器Ｔのバーコードラベルには、検体容器に収容された血液検体を識別する検体識別情報（以下、検体ＩＤという）が記憶されている。
【００４４】
［情報処理ユニットの構成］
次に、情報処理ユニット５の構成について説明する。情報処理ユニット５は、測定ユニット２、３から出力された測定データを解析し、赤血球の粒度分布（ヒストグラム）、白血球の二次元分布図（スキャッタグラム）を作成したり、白血球の各サブクラス（ＮＥＵＴ、ＬＹＭＰＨ、ＥＯ、ＢＡＳＯ、及びＭＯＮＯ）の血球数を計数したりすることで、検体の測定結果を生成し、その測定結果を表示することができる。
【００４５】
情報処理ユニット５は、コンピュータにより構成されている。図３は、情報処理ユニット５の構成を示すブロック図である。図３に示すように、情報処理ユニット５は、コンピュータ本体５１と、表示部５２と、入力部５３とを備えている。コンピュータ本体５１は、ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、及び画像出力インタフェース５１ｈを備えている。ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、及び画像出力インタフェース５１ｈは、バス５１ｊによって接続されている。
【００４６】
読出装置５１ｅは、コンピュータを情報処理ユニット５として機能させるためのコンピュータプログラム５４ａを可搬型記録媒体５４から読み出し、当該コンピュータプログラム５４ａをハードディスク５１ｄにインストールすることが可能である。
【００４７】
入出力インタフェース５１ｆは、例えばＵＳＢ，ＩＥＥＥ１３９４，又はＲＳ−２３２Ｃ等のシリアルインタフェース、ＳＣＳＩ，ＩＤＥ，又はＩＥＥＥ１２８４等のパラレルインタフェース、及びＤ／Ａ変換器、Ａ／Ｄ変換器等からなるアナログインタフェース等から構成されている。入出力インタフェース５１ｆには、キーボード及びマウスからなる入力部５３が接続されており、ユーザが当該入力部５３を使用することにより、コンピュータ５ａにデータを入力することが可能である。また、入出力インタフェース５１ｆは、通信ケーブルを介して測定ユニット２、３及び検体搬送ユニット４に接続されている。これにより、情報処理ユニット５は、測定ユニット２、３及び検体搬送ユニット４のそれぞれを制御可能である。
【００４８】
ハードディスク５１ｄには、複数の検体についての複数の測定結果を格納する測定結果データベースＤＢ１が設けられている。
【００４９】
［測定結果データベースの構造］
図４を参照して、測定結果データベースＤＢ１のデータ構造を説明する。図４は、ハードディスク５１ｄの測定結果データベースＤＢ１に格納されている測定結果リストＬ１００のデータ構造を示す模式図である。
図４に示すように、測定結果リストＬ１００は、結果ＩＤ列Ｃ１と、受付日時列Ｃ２と、測定日時列Ｃ３と、患者ＩＤ列Ｃ４と、検体ＩＤ列Ｃ５と、オーダ種別列Ｃ６と、エラー情報列Ｃ７、ユニット情報列Ｃ８、数値データ列Ｃ９、Ｃ１０・・・を含む。
【００５０】
結果ＩＤ列Ｃ１には、測定結果リストＬ１００に格納されている各行（レコードともいう）を識別するための識別番号である結果ＩＤが格納される。結果ＩＤは、測定結果リストＬ１００にレコードが追加される度に新たに割り当てられる。
【００５１】
受付日時列Ｃ２には、検体分析装置１００が検体を受け付けた日時が格納される。検体を受け付けた日時とは、バーコードリーダ４３によって検体容器のバーコードラベルが読み取られた日時である。
【００５２】
測定日時列Ｃ３には、検体が測定された日時が格納される。検体が測定された日時とは、検体測定ユニット２、３から出力された測定データが通信インターフェース５１ｇを介して情報処理ユニット５に入力された日時である。
【００５３】
患者ＩＤ列Ｃ４には、検体が採取された患者を識別する識別情報として患者ＩＤが格納される。患者ＩＤは、個々の患者を識別するために、患者ごとに割り当てられている。
【００５４】
検体ＩＤ列Ｃ５には、検体容器に収容された検体を識別するための検体ＩＤが格納される。検体ＩＤは、個々の検体を識別するために検体ごとに割り当てられており、検体容器に貼付されるバーコードラベルに情報が組み込まれている。バーコードリーダ４３がバーコードラベルを読み取って得られた検体ＩＤは、情報処理ユニット５によって列Ｃ５に格納される。
【００５５】
オーダ種別列Ｃ６には、その測定結果を生成するために行われた測定の種別が格納される。本実施形態では、測定の種別には「Initial」、「Initial/Repeat」、「Rerun」、「Rerun/Repeat」、「Reflex」、「Reflex/Repeat」の６つがある。これらのいずれか一つがオーダ種別列Ｃ６に格納される。
なお、本明細書では、「Initial」を初回測定（あるいは初検）と呼称し、その他の種別の測定を総称して再測定（あるいは再検）と呼称する。
【００５６】
「Initial」は、初回測定である。初回測定とは、検体分析装置１００が検体を受け付けて最初に行われる測定である。
【００５７】
「Initial/Repeat」は、「Initial」にエラーが発生した場合に実行される測定である。エラーとは、測定ユニット２から受信した測定データに含まれるノイズが多すぎて解析を実行できない場合や、測定ユニット２が検体の吸引を試みたが、検体の量が足りず、検体を吸引できなかった場合等に発生する。この種別による測定では、初回測定と同じ測定項目について測定が行われる。
【００５８】
「Rerun」は、「Initial」又は「Initial/Repeat」による測定結果の数値データが異常数値範囲に入った場合に実行される測定である。この種別による測定では、「Initial」と同じ測定項目について測定が行われる。
【００５９】
「Rerun/Repeat」は、「Rerun」にエラーが発生した場合に実行される測定である。この種別による測定では、「Rerun」と同じ測定項目について測定が行われる。
【００６０】
「Reflex」は、「Initial」又は「Initial/Repeat」による測定結果の数値データが予め決められた数値範囲内に入った場合に実行される測定である。この種別による測定では、「Initial」の測定項目に加えて、追加の測定項目が測定される。例えば、「Initial」の測定項目が「CBC+DIFF」であれば、これに「RET」を加えた「CBC+DIFF+RET」が測定される。
【００６１】
「Reflex/Repeat」は、「Reflex」にエラーが発生した場合に実行される測定である。この種別による測定では、「Reflex」と同じ測定項目が測定される。
【００６２】
エラー情報列Ｃ７には、その測定結果を生成するために行われた測定についてのエラーの有無が格納される。
【００６３】
ユニット情報列Ｃ８には、その測定結果を生成するための測定を行った測定ユニットの識別番号が格納される。本実施形態では、測定ユニット２の識別番号は「XN-10000-1-R」と定められており、測定ユニット３の識別番号は「XN-10000-1-L」と定められている。
【００６４】
数値データ列Ｃ９、Ｃ１０には、測定結果の数値データが格納される。図４では列Ｃ９に白血球数（ＷＢＣ）の数値データが格納されており、Ｃ１０に赤血球数（ＲＢＣ）の数値データが格納されている。なお、図４では、Ｃ９及びＣ１０のみを図示し、以降の列は図示を省略している。
【００６５】
［測定動作］
次に、検体分析装置１００の検体ラック単位の処理動作を説明する。ユーザが、測定前ラック保持部４１に検体ラックをセットし、情報処理ユニット５の入力部５３を介して処理開始を指示すると動作が開始する。
【００６６】
動作が開始すると、まず、検体搬送ユニット４が検体を搬送する。具体的には、検体搬送ユニット４は、処理開始の指示を受け付けると、検体ラックＬを測定前ラック保持部４１から搬送路４２に向けて後方（Ｙ２方向）に移動させる。搬送路４２は、検体ラックＬを受け取ると、搬送方向下流側（Ｘ１方向側）に向けて移動させ、検体ラックＬに保持された複数の検体容器Ｔが一つずつバーコードリーダ４３の前に位置するように、検体ラックを搬送する。バーコードリーダ４３は、各検体容器Ｔのバーコードを読み取る。
【００６７】
検体ラックＬに保持された全ての検体容器Ｔのバーコードラベルが読み取られると、各検体容器Ｔが、測定ユニット２及び測定ユニット３のいずれかに搬送される。具体的には、検体ラックＬのＸ１方向側から奇数番目に保持されている検体容器Ｔは、測定ユニット２に搬送される。検体ラックＬのＸ１方向側から偶数番目に保持されている検体容器Ｔは、測定ユニット３に搬送される。測定ユニット２、３は、搬送された検体容器Ｔに収容されている検体について第１回の測定（初検ともいう）を行う。
【００６８】
検体について測定が行われると、その検体について、再測定の要否が判定される。再測定が必要であると判定されると、その検体を収容した検体容器Ｔは、測定ユニット２および３のいずれかに搬送され、再測定が行われる。検体ラックＬに保持された全ての検体容器Ｔについて再測定が不要であると判定されると、搬送路４２は、検体ラックＬを測定後ラック保持部４４の後方（Ｙ２方向側）まで搬送する。検体ラックＬは、前方（Ｙ１方向側）に移動され、測定後ラック保持部４４に送られる。
【００６９】
［検体測定動作］
次に、検体容器単位の処理動作についてフローチャートを用いて説明する。図５は、検体分析装置１００の動作を示すフローチャートである。
検体容器Ｔに貼付されたバーコードラベルがバーコードリーダ４３によって読み取られると、読取結果が情報処理ユニット５に送信され、情報処理ユニット５は受信した読取結果に基づいてオーダを取得し、オーダリストに追加する（ステップＳ１０１）。
【００７０】
具体的には、情報処理ユニット５は、読取結果を受信すると、読取結果に含まれる検体ＩＤをホストコンピュータＨＣに送信するとともに、ホストコンピュータＨＣに測定オーダを問い合わせる。ホストコンピュータＨＣには、検体ＩＤに関連付けて、患者ＩＤ及び測定オーダが予め登録されている。ホストコンピュータＨＣは、受信した検体ＩＤに関連付けて登録されている測定オーダ及び患者ＩＤを情報処理ユニット５に送信する。情報処理ユニット５は、測定オーダを受信すると、オーダリストに新規オーダを登録する。
【００７１】
図６は、オーダリストのデータ構造を模式的に示す図である。図６に示すように、オーダリストＬ２００は、検体ＩＤが格納される検体ＩＤ列Ｃ１１と、オーダ種別が格納されるオーダ種別列Ｃ１２と、測定ディスクリート項目が格納される測定ディスクリート列Ｃ１３とを含む。
【００７２】
情報処理ユニット５は、ホストコンピュータＨＣから測定オーダを受信すると、オーダリストの最下行に新規オーダを追加する。新規オーダの列Ｃ１１には、検体容器Tから読み取られた検体ＩＤが入力される。列Ｃ１３には、受信した測定オーダに含まれる測定ディスクリート項目が入力される。列Ｃ１２には、オーダ種別が入力される。列Ｃ１２には、新規オーダの場合には「Initial」と入力され、追加オーダの場合には、後述の再検判定ルール（図７参照）に応じて設定されたオーダ種別が入力される。新規オーダとは、ホストコンピュータＨＣから受信した測定オーダに基づいてリストに追加されるオーダである。また、追加オーダとは、オーダリストＬ２００に登録された測定オーダに基づいて測定を実行した結果、情報処理ユニット５が後述の再検判定ルール（図７参照）に合致したと判断した場合に、情報処理ユニット５が自動生成するオーダである。
【００７３】
図５に戻って、情報処理ユニット５は、バーコードが読み取られた検体容器Ｔの搬送先を決定する（ステップＳ１０２）。具体的には、情報処理ユニット５は、検体容器Ｔを、第１測定ユニット２及び第２測定ユニット３のいずれに搬送するかを決定する。以下では、検体容器Ｔの搬送先が第１測定ユニット２に決定した場合を例示して説明する。
【００７４】
検体搬送ユニット４は、搬送先として決定された測定ユニットに検体容器Ｔを搬送する（ステップＳ１０３）。具体的には、検体搬送ユニット４は、検体容器Ｔを、第１測定ユニット２のハンド部２５ａの直下の位置まで搬送する。
【００７５】
第１測定ユニット２は、搬送された検体容器Ｔに収容されている検体を測定する（ステップＳ１０４）。具体的には、測定ユニット２は、ハンド部２５ａによって検体容器Ｔを把持し、検体容器Ｔを検体ラックＬから取り出す。ハンド部２５ａは、検体搬送部２５の検体容器セット部２５ｂに検体容器Ｔをセットする。検体容器搬送部２５が後方に移動し、検体容器Ｔが測定ユニット２に取り込まれる。検体容器Ｔは、吸引部２１による吸引位置２１ａまで搬送される。吸引部２１は、吸引位置２１ａに搬送された検体容器Ｔに穿刺され、検体容器Ｔに収容された血液検体を吸引する。吸引された血液検体は、試料調製部２２に送られる。試料調製部２２は、送られた血液検体と試薬とを混合して測定試料を調製する。調製された測定試料は、検出部２３に送られる。検出部２３は、送られた測定試料を電気的及び光学的に測定し、電気信号からなる測定データを生成する。測定データは、情報処理ユニット５に送られる。
【００７６】
情報処理ユニット５は、送られた測定データをハードディスク５１ｄに記憶するとともに、測定データを解析して測定結果を生成する（ステップＳ１０５）。具体的には、情報処理ユニット５は、測定データを解析することにより、赤血球数、白血球数、血小板数といった数値データを生成するとともに、赤血球及び血小板の粒度分布（ヒストグラム）並びに白血球のサブクラスの分布を二次元的に示す二次元分布図（スキャッタグラム）を作成する。
【００７７】
情報処理ユニット５は、生成した測定結果を測定結果データベースＤＢ１に格納する（ステップＳ１０６）。具体的には、情報処理ユニット５は、測定結果データベースＤＢ１の測定結果リストＬ１００の最下行に新規レコードを追加する。新規レコードの行の受付日時列Ｃ２には、バーコードリーダ４３によって検体容器Ｔのバーコードラベルが読み取られた日時が入力される。測定日時列Ｃ３には、検体測定ユニット２から出力された測定データが通信インターフェース５１ｇを介して情報処理ユニット５に入力された日時が入力される。患者ＩＤ列Ｃ４には、測定オーダとともにホストコンピュータＨＣから与えられた患者ＩＤが入力される。検体ＩＤ列Ｃ５には、バーコードリーダ４３が検体容器Ｔのバーコードラベルを読み取って得られた検体ＩＤが入力される。オーダ種別列Ｃ６には、上述のオーダリストＬ２００の列Ｃ１２に入力されているオーダ種別が入力される。エラー情報列Ｃ７には、エラーが発生していれば「あり」と入力され、エラーが発生していなければ「なし」と入力される。ユニット情報列Ｃ８には、上記の例では、測定ユニット２の識別番号である「XN-10000-1-R」が入力される。数値データ列Ｃ９、Ｃ１０には、ステップＳ１０６で得られた測定結果の数値データが対応する列に入力される。ステップＳ１０６で作成されたヒストグラム及びスキャッタグラムは、追加された新規レコードに関連付けてハードディスク５１ｄに格納される。
【００７８】
次に、情報処理ユニット５は、追加オーダを生成するか否かを決定する（ステップＳ１０７）。この処理について、図７を参照して説明する。
図７は、追加オーダを生成するか否かを決定するための再検判定ルールを示すフローチャートである。情報処理ユニット５は、一回の測定が完了する都度、この再検判定ルールに照らして追加オーダを生成するか否か、換言すれば再検が必要か否かを自動的に決定する。
【００７９】
まず、ある検体について「Initial」が測定されると（ステップＳ１１）、情報処理ユニット５は、「Initial」の測定にエラーが発生したか否かを判断する（ステップＳ１２）。
【００８０】
エラーが発生したと判断されると（ステップＳ１２：ＹＥＳ）、情報処理ユニット５は、追加オーダとして「Initial/Repeat」を生成する（ステップＳ１３）。
なお、後に詳しく述べるが、ここで生成された追加オーダはオーダリストＬ２００の最下行に追加され、追加オーダに基づいて自動的に再測定が実行される。
エラーが発生していないと判断されると（ステップＳ１２：ＮＯ）、ステップＳ１４へ処理が進む。
【００８１】
情報処理ユニット５は、「Initial」又は「Initial/Repeat」の測定の結果、「Rerun」を測定すべき条件が満たされたか否かを判断する（ステップＳ１４）。本実施形態では、「Initial」又は「Initial/Repeat」によって測定された一の測定項目の数値が、予め設定されている異常数値範囲に入った場合に、「Rerun」の条件を満たす。「Rerun」の条件を満たしていないと判断されると（ステップＳ１４：ＮＯ）、ステップＳ１８へ進む。「Rerun」の条件を満たすと判断されると（ステップＳ１４：ＹＥＳ）、情報処理ユニット５は、追加オーダとして「Rerun」を生成する（ステップＳ１５）。
【００８２】
情報処理ユニット５は、「Rerun」の測定の結果、エラーが発生したか否かを判断する（ステップＳ１６）。エラーが発生したか否かの判断は、ステップＳ１２と同様である。エラーが発生したと判断されると、情報処理ユニット５は、追加オーダとして「Rerun/Repeat」を生成する（ステップＳ１７）。エラーが発生していないと判断されると（ステップＳ１６：ＮＯ）、追加オーダは生成されず、その検体に対する一連の測定が終了する。
【００８３】
ステップＳ１８では、「Initial」又は「Initial/Repeat」の結果が、「Reflex」を測定すべき条件に合致したか否かを判断する（ステップＳ１８）。本実施形態では、「Initial」又は「Initial/Repeat」によって測定された一の測定項目の数値が、異常数値範囲ではないが、予め設定されている数値範囲に入った場合に、「Reflex」の条件を満たす。「Reflex」の条件を満たしていないと判断されると（ステップＳ18：ＮＯ）、追加オーダは生成されず、その検体に対する一連の測定が終了する。「Reflex」の条件を満たすと判断されると（ステップＳ１８：ＹＥＳ）、情報処理ユニット５は、追加オーダとして「Reflex」を生成する（ステップＳ１９）。
【００８４】
情報処理ユニット５は、「Reflex」の測定の結果、エラーが発生したか否かを判断する（ステップＳ２０）。エラーが発生したか否かの判断は、ステップＳ１２と同様である。エラーが発生したと判断されると、情報処理ユニット５は、追加オーダとして「Reflex/Repeat」を生成する（ステップＳ２１）。エラーが発生していないと判断されると（ステップＳ２０：ＮＯ）、追加オーダは生成されず、その検体に対する一連の測定が終了する。
【００８５】
図５に戻って、情報処理ユニット５は、ステップＳ１０７において、上記の再検判定ルールに照らして、追加オーダを生成するか否かを決定する。
追加オーダを生成しないと決定すると（ステップＳ１０７：ＮＯ）、その検体に対する一連の処理が完了する。追加オーダを生成すると決定すると（ステップＳ１０７：ＹＥＳ）、ステップＳ１０１に戻り、情報処理ユニット５は、追加オーダをオーダリストＬ２００の最下行に追加する。追加オーダのオーダリストＬ２００への追加処理について図６を参照して説明する。
【００８６】
図６を参照して、Ｍ１０１の新規オーダに基づいて、検体ＩＤ：４４２の検体について「Initial」を測定した結果、追加オーダとして「Initial/Repeat」が生成される場合、追加オーダＭ１０２の列Ｃ１１には「Initial」と同じ検体ＩＤ：４４２が入力され、列Ｃ１２には、「Initial/Repeat」が入力される。「Initial/Repeat」は「Initial」と同じ測定ディスクリート項目を測定するオーダ種別であるから、列Ｃ１３には、オーダＭ１０１と同じ「CBC+DIFF」が入力される。
また、Ｍ１０２の追加オーダに基づいて、検体ＩＤ：４４２の検体について「Initial/Repeat」を測定した結果、追加オーダとして「Reflex」が生成される場合、列Ｃ１１には「Initial/Repeat」と同じ検体ＩＤ：４４２が入力され、オーダ種別には、「Reflex」が入力される。「Reflex」は、その検体について直前に測定された測定ディスクリート項目が追加される。そのため、追加オーダＭ１０３の列Ｃ１３には、「CBC+DIFF」の測定ディスクリート項目に「RET」が追加され、「CBC+DIFF+RET」と入力される。
また、Ｍ１０３の追加オーダに基づいて、検体ＩＤ：４４２の検体について「Reflex」を測定した結果、追加オーダとして「Reflex/Repeat」が生成される場合、追加オーダＭ１０４の列Ｃ１１には「Reflex」と同じ検体ＩＤ：４４２が入力され、列Ｃ１２には、「Reflex/Repeat」が入力される。「Reflex/Repeat」は「Initial」と同じ測定ディスクリート項目を測定するオーダ種別であるから、列Ｃ１３には、オーダＭ１０３と同じ「CBC+DIFF+RET」が入力される。
【００８７】
図５に戻って、情報処理ユニット５は、追加オーダを生成すると決定すると（ステップＳ１０７：ＹＥＳ）、追加オーダをオーダリストＬ２００に追加し（ステップＳ１０１）、追加されたオーダに基づいてステップＳ１０２〜ステップＳ１０６の処理を再び実行する。
【００８８】
追加オーダについてステップＳ１０６までの処理が終了すると、情報処理ユニット５は、追加オーダによる測定結果を、測定結果データベースＤＢ１の測定結果リストＬ１００に登録する（ステップＳ１０６）。
【００８９】
図４を参照して、追加オーダによる測定結果を測定結果データベースＤＢ１に登録するときの処理を説明する。情報処理ユニット５は、追加オーダによって生成された測定結果を測定結果リストの最下行に新規レコードとして追加する。
【００９０】
ここでは、追加オーダＭ１０２（図６参照）によって生成された測定結果が登録されるときの処理を例にとって説明する。追加オーダＭ１０２は、新規オーダＭ１０１に基づく再測定の追加オーダであるので（図６参照）、追加オーダＭ１０２の測定結果レコード（結果ＩＤ：Ｘ１０１５）は、新規オーダＭ１０１の測定結果レコード（結果ＩＤ：Ｘ１００３）に基づいて作成される。具体的には、レコード（Ｘ１０１５）の列Ｃ２、Ｃ４、Ｃ５には、それぞれ、レコード（Ｘ１００３）と同じ受付日時、患者ＩＤ、検体ＩＤが入力される。そして、列Ｃ３には、追加オーダＭ１０２を測定した日時が入力される。列Ｃ６には、追加オーダＭ１０２に設定されているオーダ種別「Initial/Repeat」が入力される。列Ｃ８には、追加オーダの測定を行った測定ユニットの識別情報が入力される。列Ｃ９、Ｃ１０には、追加オーダの測定により得られた数値データが入力される。
【００９１】
以上の処理によって、検体の測定が終了する。この処理が複数回行われることにより、測定結果データベースＤＢ１に複数の測定結果レコードが蓄積されていく。
【００９２】
［測定結果表示処理］
次に、測定結果データベースＤＢ１に記憶されている測定結果を表示する処理について説明する。
【００９３】
図８は表示処理を示すフローチャートである。まず、情報処理ユニット５は、ハードディスク５１ｄに格納されているアプリケーションプログラムが起動されると、図１０に示すメニュー画面Ｄ１を表示部５２に表示する（ステップＳ２０１）。
【００９４】
図１０は、メニュー画面Ｄ１を示している。メニュー画面Ｄ１には、ツールバーが表示されるツールバー表示領域Ａ１と、他の画面へ遷移するための複数のアイコンが表示されるメイン表示領域Ａ２が設けられている。
【００９５】
ツールバー表示領域Ａ１には、測定結果データベースＤＢ１に記憶されている複数の測定結果レコードを一覧表示する「サンプルクエスプローラ画面」へ遷移するためのサンプルエクスプローラアイコンＨ１と、測定結果データベースＤＢ１に記憶されている複数の測定結果レコードのうちの一つを詳細表示する「データブラウザ画面」へ遷移するためのデータブラウザアイコンＨ２とを含む。
【００９６】
メイン表示領域Ａ２には、サンプルエクスプローラアイコンＨ１と同じ機能を有するサンプルエクスプローラアイコンＦ１と、データブラウザアイコンＨ２と同じ機能を有するデータブラウザアイコンＦ２を含む。さらにメイン表示領域Ａ２は、情報処理ユニット５のアプリケーションプログラムを終了するエンドアイコンＦ３を含む。
【００９７】
図８に戻って、情報処理ユニット５は、サンプルエクスプローラ画面を表示する指示が入力されたか否かを判断する（ステップＳ２０２）。サンプルエクスプローラ画面の表示指示は、図１０のメニュー画面において、サンプルエクスプローラアイコンＨ１、Ｆ１をマウスによってクリックすることで入力することができる。サンプルエクスプローラ画面の表示指示が入力されなければ（ステップＳ２０２：ＮＯ）、情報処理ユニット５は、表示指示を受け付けるまで判断を繰り返す。表示指示が入力されたと判断すると（ステップＳ２０２：ＹＥＳ）、情報処理ユニット５は、図１１に示すサンプルエクスプローラ画面Ｄ２を表示部５２に表示する。
【００９８】
図１１は、サンプルエクスプローラ画面Ｄ２を示している。サンプルエクスプローラ画面Ｄ２には、ツールバー表示領域Ａ１と、メイン表示領域Ａ２が設けられている。ツールバー表示領域Ａ１は、図１０のメニュー画面Ｄ１のものと同じ構成であるので、説明は省略する。
【００９９】
メイン表示領域Ａ２は、測定結果データベースＤＢ１に格納された複数の測定結果レコードが一覧表示される検体リストＷ１００と、検体リストＷ１００において選択されている測定結果レコードの数値データが表示される数値データリストＷ２００を含む。
【０１００】
図１１に示すように、検体リストＷ１００は、検体ＩＤフィールドＳ１、オーダ種別フィールドＳ２、エラー情報フィールドＳ３、測定日時フィールドＳ４、受付日時フィールドＳ５を含む。
検体ＩＤフィールドＳ１には、図４の検体ＩＤ列Ｃ５に格納されている情報が表示される。オーダ種別フィールドＳ２には、図４のオーダ種別列Ｃ６に格納されている情報が表示される。エラー情報フィールドＳ３には、図４のエラー情報列Ｃ７に格納されている情報が表示される。測定日時フィールドＳ４には、図４の測定日時列Ｃ３に格納されている情報が表示される。受付日時フィールドＳ５には、図４の受付日時列Ｃ２に格納されている情報が表示される。
【０１０１】
数値データリストＷ２００には、検体リストＷ１００において選択されている測定結果レコードの数値データが一覧表示される。具体的には、数値データリストＷ２００には、検体リストＷ１００において選択されている測定結果レコードの列Ｃ９、Ｃ１０・・・に格納されている情報が表示される。
【０１０２】
検体リストＷ１００の各行は、マウスによって任意の行にカーソルを合わせ、クリックすることにより選択することができる。また、サンプルエクスプローラ画面Ｄ２は、画面右上の閉じるアイコンをクリックすることで閉じることができ、サンプルエクスプローラ画面Ｄ２を閉じると、メニュー画面Ｄ１に戻る。
【０１０３】
図８を参照して、情報処理ユニット５は、図１１のサンプルエクスプローラ画面Ｄ２においてデータブラウザ画面Ｄ３の表示指示を受け付けたか否かを判断する（ステップＳ２０４）。データブラウザ画面Ｄ３の表示指示は、図１１のサンプルエクスプローラ画面Ｄ２において、表示したい測定結果の行を検体リストＷ１００において選択した状態で、データブラウザアイコンＨ２をマウスによってダブルクリックすることで入力することができる。また、検体リストＷ１００の表示したい測定結果の行をマウスによってダブルクリックすることによっても入力することができる。また、図１０のメニュー画面Ｄ１において、データブラウザアイコンＨ２、Ｆ２をマウスによってクリックすることによっても入力することができる。この場合、測定結果データベースＤＢ１に記憶されている測定結果レコードのうち、測定日時が最も新しい測定結果レコードが選択されたものとして取り扱われる。したがって、いずれの方法でデータブラウザ画面Ｄ３の表示指示を入力した場合であっても、記憶されている複数の測定結果レコードのうち一つの測定結果レコードが指定される。
【０１０４】
情報処理ユニット５は、データブラウザ画面Ｄ３の表示指示を受け付けたと判断すると（ステップＳ２０４：ＹＥＳ）、ステップＳ２０５へ処理を進める。一方、情報処理ユニット５は、データブラウザ画面Ｄ３の表示指示を受け付けていないと判断すると（ステップＳ２０４：ＮＯ）、ステップＳ２０８へ処理を進める。
【０１０５】
情報処理ユニット５は、データブラウザ画面Ｄ３の表示指示を受け付けたと判断すると（ステップＳ２０４：ＹＥＳ）、指定された測定結果レコードと同一の受付日時及び検体ＩＤを含む測定結果レコードを検索する（ステップＳ２０５）。具体的には、情報処理ユニット５は、指定されたレコードの検体ＩＤを検索クエリとして、測定結果データベースＤＢ１の測定結果リストＬ１００を検索し、同一の検体ＩＤを含む測定結果レコードを測定結果リストＬ１００から抽出する。さらに、情報処理ユニット５は、指定されたレコードの受付日時を検索クエリとして、抽出された測定結果レコードを検索し、指定されたレコードと同一の受付日時を含む測定結果レコードを抽出する。
【０１０６】
次に、情報処理ユニット５は、指定された測定結果レコードと同一の患者ＩＤを含み、且つ、指定された測定結果レコードと異なる受付日時を含む測定結果を検索する（ステップＳ２０６）。具体的には、情報処理ユニット５は、指定された測定結果レコードの患者ＩＤを検索クエリとして、測定結果データベースＤＢ１の測定結果リストＬ１００を検索し、同一の患者ＩＤを含む測定結果レコードを測定結果リストＬ１００から抽出する。さらに、情報処理ユニット５は、抽出された測定結果レコードの中から、指定された測定結果レコードの受付日時を含む測定結果レコードを除外することにより、指定されたレコードと異なる受付日時を含む測定結果レコードのみを抽出する。
【０１０７】
情報処理ユニット５は、データブラウザ画面Ｄ３を表示する（ステップＳ２０７）。この処理については、後述する。
情報処理ユニット５は、表示を終了する指示が入力されたか否かを判断する（ステップＳ２０８）。表示を終了する指示は、メニュー画面Ｄ１においてＩＰＵ終了アイコンＦ３をマウスによってクリックすることで入力することができる。表示を終了する指示が入力されたと判断されると（ステップＳ２０８：ＹＥＳ）、情報処理ユニット５は表示処理を終了する。表示を終了する指示が入力されていなければ（ステップＳ２０８：ＮＯ）、ステップＳ２０２へ処理を戻す。
【０１０８】
次に、データブラウザ画面を表示する処理について、図９のフローチャート及び図１２のデータブラウザ画面を参照して説明する。
情報処理ユニット５は、データブラウザ画面を表示する（ステップＳ３０１）。図９は、データブラウザ画面Ｄ３を示している。データブラウザ画面Ｄ３は、指定された一つの測定結果レコードの詳細情報を表示するための画面である。ここでいう詳細情報とは、サンプルエクスプローラ画面Ｄ２に表示されない情報であって、具体的には、画像データがこれに該当する。本実施形態では、数値データとともに作成される赤血球及び血小板の粒度分布（ヒストグラム）の画像データ、および、白血球の二次元分布図（スキャッタグラム）の画像データが詳細情報に該当する。
【０１０９】
データブラウザ画面Ｄ３は、他の画面と同様に、ツールバー表示領域Ａ１と、メイン表示領域Ａ２とを含む。
ツールバー表示領域Ａ１には、メニュー画面Ｄ１及びサンプルエクスプローラ画面Ｄ２と同様に、サンプルエクスプローラアイコンＨ１及びデータブラウザアイコンＨ２を含む画面遷移アイコン群が表示される。画面遷移アイコン群に隣接して、表示されている測定結果に対する操作を実行するための操作アイコン群が表示される。この操作アイコン群には、表示されている測定結果レコードの情報（患者氏名、担当医）などを修正するための修正アイコンＮ１、表示されている測定結果を承認（バリデーション）するためのバリデーションアイコンＮ２、データブラウザ画面Ｄ３を終了する閉じるアイコンＮ３が含まれる。操作アイコン群には、さらに、前回値ボタンＹ１と、次回値ボタンＹ２が表示される。前回値ボタンＹ１、次回値ボタンＹ２の機能については後述する。
【０１１０】
メイン表示領域Ａ２には、一の測定結果の詳細情報が表示されている。図１２の例では、メイン表示領域Ａ２は、数値データ領域Ｐと、フラグ領域Ｑと、グラフ領域Ｒを含んでいる。数値データ領域Ｐは、ＣＢＣ項目の数値データが表示されるＣＢＣ欄Ｐ１と、ＤＩＦＦ項目の数値データが表示されるＤＩＦＦ欄Ｐ３と、ＲＥＴ項目の数値データが表示されるＲＥＴ欄Ｐ２とを含んでいる。フラグ領域Ｑは、測定の結果としてフラグが設定された場合に、設定されたフラグが表示される領域であって、白血球（ＷＢＣ）に関するフラグが表示されるＷＢＣフラグ欄Ｑ１と、赤血球（ＲＢＣ）に関するフラグが表示されるＲＢＣフラグ欄Ｑ２、血小板（ＰＬＴ）に関するフラグが表示されるＰＬＴフラグ欄Ｑ３を含んでいる。グラフ領域Ｒは、測定結果に含まれる画像が表示される領域であって、複数のスキャッタグラムＲ１と、赤血球（ＲＢＣ）のヒストグラムＲ２と、血小板（ＰＬＴ）のヒストグラムＲ３とを含んでいる。
【０１１１】
メイン表示領域Ａ２の上方には、検体リンクボタン表示領域Ｘが設けられている。図１２に示す例では、複数の検体リンクボタン群Ｘ１〜Ｘ４が表示されている。図１２に示すデータブラウザ画面Ｄ３では、「Initial」、「Initial/Repeat」、「Reflex」及び「Reflex/Repeat」の合計４回の測定が行われた、検体ＩＤ：４３９で示される検体の「Initial」の測定結果を示している。検体リンクボタンは、検体の測定回数に応じた数だけ表示されるようになっており、図１２に示す例では、合計４回の測定回数に応じて、４つの検体リンクボタンが表示されている。検体リンクボタンＸ１〜Ｘ４は、それぞれ、検体ＩＤ：４３９の「Initial」、「Initial/Repeat」、「Reflex」及び「Reflex/Repeat」の測定結果に対応付けられている。より詳しく説明すると、検体リンクボタンＸ１は、検体ＩＤ：４３９の検体の「Initial」の測定結果を表示させるためのボタンである。検体リンクボタンＸ２は、検体ＩＤ：４３９の検体の「Initial/Repeat」の測定結果を表示させるためのボタンである。検体リンクボタンＸ３は、検体ＩＤ：４３９の検体の「Reflex」の測定結果を表示させるためのボタンである。検体リンクボタンＸ４は、検体ＩＤ：４３９の検体の「Reflex/Repeat」の測定結果を表示させるためのボタンである。なお、図１２に図示した状態では、検体リンクボタンＸ１は無効化されている。これらは後述するように、クリックすることで予め対応付けられた測定結果をメイン表示領域Ａ２に表示させるためのボタンとして機能する。
【０１１２】
各検体リンクボタンＸ１〜Ｘ４は、それぞれが対応付けられた測定結果のオーダ種別と、対応付けられている測定結果の基となった測定を実行した測定ユニット２、３の識別情報とを含んでいる。ユーザは、ボタンを見ただけで各ボタンがいずれのオーダ種別の測定結果に対応付けられているか、さらには、対応付けられている測定結果の基となった測定をいずれの測定ユニットが実行したかを知ることができる。
【０１１３】
検体リンクボタンＸ１〜Ｘ４は、左から順に、「Initial」、「Initial/Repeat」、「Reflex」、「Reflex/Repeat」と並んでいる。この順序は、図６からも明らかなように、一つの検体に対して測定が行われる順序と同じである。ユーザは、左から順に検体リンクボタンをクリックしていけば、測定の順序に沿って測定結果を閲覧することができる
【０１１４】
本実施形態では、初検（「Initial」の測定）は必ず１回行われ、再測定は最大で３回行われる。これに対応して検体リンクボタンは、少なくとも１つ、最大で４つ表示される。つまり、この検体リンクボタンは、１つの検体について測定した回数に応じた数だけ表示されるため、ユーザは、データブラウザを開いたときに、検体リンクボタン表示領域Ｘにいくつのボタンが表示されているかを見るだけで、表示されている測定結果に関連する測定結果がいくつあるかを知ることができる。換言すると、再測定の回数を、検体リンクボタン表示領域Ｘに表示されているボタンの数を数えるだけで知ることができる。
【０１１５】
図１２に示す例では、「Initial」ボタンＸ１が、他のボタンＸ２〜Ｘ４と異なる色で表示されている（図面では異なる色で表示されていることを示すために「Initial」ボタンＸ１にハッチングを掛けて図示している）。これは、メイン表示領域Ａ２に表示されている測定結果のオーダ種別が「Initial」であることを示している。後述するように、図１２の画面において他の検体リンクボタンＸ２〜Ｘ４を選択すると、選択された検体リンクボタンに予め対応付けられた測定結果がメイン表示領域Ａ２に表示されるとともに、選択された検体リンクボタンのみ異なる色で表示される。したがって、ユーザは、データブラウザ画面を表示したときに、関連する測定結果のうちいずれの測定結果がメイン表示領域Ａ２に表示されているかを視覚的に把握することができる。
【０１１６】
図９を参照して、情報処理ユニット５は、データブラウザ画面Ｄ３を表示する（ステップＳ３０１）。具体的には、情報処理ユニット５は、ステップＳ２０４（図８参照）で指定された測定結果レコードを読み出し、読み出された測定結果レコードに含まれる情報をメイン表示領域Ａ２の各箇所に表示する。
【０１１７】
さらに、情報処理ユニット５は、ステップＳ２０５（図８参照）で検索した結果、指定された測定結果レコードと同一の検体ＩＤを有する測定結果レコードが抽出された場合、抽出された測定結果レコードに対応する検体リンクボタンを表示する。
【０１１８】
例えば、図４を参照して、検体ＩＤ：４４２の「Initial」の測定結果レコード（結果ＩＤ：Ｘ１００３）が指定されてデータブラウザ画面Ｄ３の表示指示が入力されたとする。この場合、検体ＩＤ：４４２を含む他の測定結果として、「Initial/Repeat」の測定結果レコード（結果ＩＤ：Ｘ１０１５）と、「Reflex」の測定結果レコード（結果ＩＤ：Ｘ１０２２）と、「Reflex/Repeat」の測定結果レコード（結果ＩＤ:Ｘ１０３０）の３つのレコードが抽出される。したがって、この場合、合計４つの検体リンクボタンが表示され、各検体リンクボタンには、「Initial」、「Initial/Repeat」、「Reflex」、「Reflex/Repeat」と表示される。また、この場合、抽出された測定結果レコードはいずれもユニット情報列Ｃ８に格納された情報が「XN-10000-1-L」であるから、各検体リンクボタンの装置識別情報として、すべて「XN-10000-1-L」と表示される。この状態が図１２に図示されている。
【０１１９】
一方、図４を参照して、検体ＩＤ：４４０の測定結果（結果ＩＤ：Ｘ１００１）が指定されてデータブラウザ画面Ｄ３の表示指示が入力されたとする。この場合、検体ＩＤ：４４０を含む他の測定結果レコードは記憶されていない、つまり、検体ＩＤ：４４０の検体は再測定が行われていない検体であるため、「Initial」以外の他の測定結果レコードが抽出されない。したがって、この場合、図１２のデータブラウザ画面Ｄ３には、「Initial」の検体リンクボタンのみが表示されることになる。
【０１２０】
さらに、情報処理ユニット５は、ステップＳ２０６（図８参照）で検索した結果、指定された測定結果レコードと同一の患者ＩＤを有する測定結果レコードが抽出された場合、抽出された測定結果レコードに応じて前回値ボタン／次回値ボタンを表示する。
【０１２１】
図４を参照して、例えば、結果ＩＤ：Ｘ４００３の測定結果レコードが指定されてデータブラウザ画面D３の表示指示が入力されたとする。この場合、同一の患者ＩＤを有する測定結果レコードとして、結果ＩＤ：Ｘ１００２の測定結果レコードと、結果ＩＤ：９６００の測定結果レコードの２つのレコードが抽出される。
【０１２２】
Ｘ１００２の測定結果レコードは、指定されたＸ４００３の測定結果レコードより受付日時が前であるから、Ｘ１００２の測定結果レコードは、Ｘ４００３の測定結果レコードに対して「前回値」にあたる。一方、Ｘ９６００の測定結果レコードは、指定されたＸ４００３の測定結果レコードより受付日時が後であるから、Ｘ９６００の測定結果レコードは、Ｘ４００３の測定結果レコードに対して「次回値」にあたる。
【０１２３】
したがって、この場合、データブラウザ画面Ｄ３には、メイン表示領域Ａ２にＸ４００３の測定結果が表示されるとともに、Ｘ１００２の測定結果を表示させるための前回値ボタンＹ１と、Ｘ９６００の測定結果を表示させるための次回値ボタンＹ２とが表示される。
【０１２４】
一方、図４を参照して、結果ＩＤ：Ｘ１００１の測定結果レコードが指定されてデータブラウザ画面Ｄ３の表示指示が入力されたとする。この場合、患者ＩＤ：Ｐ８３７の測定結果レコードは１つしか記憶されていないため、他の測定結果レコードは抽出されず、前回値ボタン、次回値ボタンは表示されない。
また、結果ＩＤ：Ｘ１００３の測定結果レコードが指定されてデータブラウザ画面Ｄ３の表示指示が入力されたとする。この場合、患者ＩＤ：Ｐ１００１を含む測定結果レコードには、Ｘ１００３の他にＸ１０１５、Ｘ１０２２、Ｘ１０３０の３つのレコードが存在するが、これらは全て受付日時が同じであるため、これらはＸ１００３のレコードに対して「前回値」／「次回値」にあたらない。したがって、これらはステップＳ２０６の検索処理では抽出されず、前回値／次回値ボタンは表示されない。
【０１２５】
以上の処理によって、データブラウザ画面Ｄ３が表示される。
【０１２６】
情報処理ユニット５は、検体リンクボタンＸ２〜Ｘ４のいずれかがマウスによってクリックされたか否かを判断する（ステップＳ３１１）。検体リンクボタンＸ２〜Ｘ４のいずれかがクリックされると（ステップＳ３１１：ＹＥＳ）、情報処理ユニット５は、クリックされた検体リンクボタンに予め対応付けられている測定結果レコードを測定結果データベースＤＢ１から読み出し（ステップＳ３１２）、読み出した測定結果レコードをメイン表示領域Ａ２に表示する（ステップＳ３１３）。例えば、図１２に示す画面において、検体リンクボタンＸ３がクリックされると、情報処理ユニット５は「Reflex」の測定結果レコードを読み出し、測定結果をメイン表示領域Ａ２に表示する。このとき、検体リンクボタンＸ３の表示色が変わり、検体リンクボタンＸ１の表示色がデフォルトになる。
【０１２７】
検体リンクボタンがクリックされていなければ（ステップＳ３１１：ＮＯ）、情報処理ユニット５は、前回値ボタンＹ１がクリックされたか否かを判断する（ステップＳ３２１）。前回値ボタンＹ１がクリックされると（ステップＳ３２１：ＹＥＳ）、情報処理ユニット５は、表示されている測定結果に対して前回値にあたる測定結果レコードを測定結果データベースＤＢ１から読み出す（ステップＳ３２２）。
【０１２８】
次に、情報処理ユニット５は、次に表示される測定結果レコードが、ステップＳ２０７で抽出された測定結果レコードの中で受付日時が最も古いか否かを判断する（ステップＳ３２３）。換言すると、情報処理ユニット５は、次に表示される測定結果のレコードよりさらに前回の測定結果レコードが存在するか否かを判断する。最も古い測定結果レコードである場合には（ステップＳ３２３：ＹＥＳ）、情報処理ユニット５は、前回値ボタンＹ１を非表示にする（ステップＳ３２４）。一方、最も古い測定結果レコードではない場合（ステップＳ３２３：ＮＯ）、情報処理ユニット５は、ステップＳ３２４をスキップする。
【０１２９】
情報処理ユニット５は、ステップＳ３２２で読み出した測定結果レコードをメイン表示領域Ａ２に表示する（ステップＳ３２５）。
【０１３０】
前回値ボタンＹ１がクリックされていなければ（ステップＳ３２１：ＮＯ）、情報処理ユニット５は、次回値ボタンＹ２がクリックされたか否かを判断する（ステップＳ３３１）。次回値ボタンＹ２がクリックされると（ステップＳ３３１：ＹＥＳ）、情報処理ユニット５は、表示されている測定結果に対して次回値にあたる測定結果のレコードを測定結果データベースＤＢ１から読み出す（ステップＳ３３２）。
【０１３１】
次に、情報処理ユニット５は、次に表示される測定結果レコードが、ステップＳ２０７で抽出された測定結果レコードの中で受付日時が最も新しいか否かを判断する（ステップＳ３３３）。換言すると、情報処理ユニット５は、次に表示される測定結果のレコードよりさらに次回の測定結果レコードが存在するか否かを判断する。最も新しい測定結果レコードである場合には（ステップＳ３３３：ＹＥＳ）、情報処理ユニット５は、次回値ボタンＹ２を非表示にする（ステップＳ３３４）。一方、最も新しい測定結果レコードではない場合（ステップＳ３３３：ＮＯ）、情報処理ユニット５は、ステップＳ３３４をスキップする。
【０１３２】
情報処理ユニット５は、ステップＳ３３２で読み出した測定結果レコードをメイン表示領域Ａ２に表示する（ステップＳ３３５）。
【０１３３】
ステップＳ３２１〜３２５及びステップＳ３３１〜３３５の処理について、図４を参照して説明する。いま、図１２のメイン表示領域Ａ２に、図４の結果ＩＤ：Ｘ４００３のレコードの測定結果が表示されている場合を想定する。結果ＩＤ：Ｘ４００３の測定結果レコードには、前回値としてＸ１００２と、次回値としてＸ９６００がある。ここで、前回値ボタンＹ１がクリックされると（ステップＳ３２１）、前回値としてＸ１００２の測定結果レコードが読み出される（ステップＳ３２２）。Ｘ１００２は、患者ＩＤ：Ｐ３７を含む測定結果レコードの中では最も受付日時が古い測定結果レコードであるため、これより前回の測定結果レコードは存在しない。そのため、ステップＳ３２３はＹＥＳとなり、Ｘ１００２のデータブラウザ画面Ｄ３では前回値ボタンＹ１は表示されない。同様に、次回値ボタンＹ２がクリックされると（ステップＳ３３１）、次回値としてＸ９６００の測定結果レコードが読み出される（ステップＳ３３２）。Ｘ９６００は、患者ＩＤ：Ｐ３７を含む測定結果レコードの中では最も受付日時が新しい測定結果レコードであるため、これより次回の測定結果レコードは存在しない。そのため、ステップＳ３３３はＹＥＳとなり、Ｘ１００２のデータブラウザ画面Ｄ３では次回値ボタンＹ２は表示されない。
【０１３４】
このように最も古い測定結果を表示する場合には前回値ボタンＹ１を非表示にし、最新の測定結果を表示する場合には次回値ボタンＹ２を非表示にすることで、ユーザは、前回値ボタンＹ１および次回値ボタンＹ２が表示されているかを見るだけで、現在表示されている測定結果が最新の測定結果であるか最古の測定結果であるかを知ることができる。
【０１３５】
次回値ボタンＹ２がクリックされなければ（ステップＳ３３１：ＮＯ）、情報処理ユニット５は、データブラウザ画面Ｄ３を終了する操作が行われたか否かを判断する（ステップＳ３４１）。データブラウザ画面Ｄ３を終了する操作は、画面遷移アイコン群に含まれる「閉じる」アイコンＮ３をクリックすることで行われる。終了操作が行われれば（ステップＳ３４１：ＹＥＳ）、情報処理ユニット５は、データブラウザ画面Ｄ３を閉じ、メニュー画面Ｄ１またはサンプルエクスプローラ画面Ｄ２に画面を遷移する。
【０１３６】
データブラウザ画面Ｄ３を終了する操作が行われなければ（ステップＳ３４１：ＮＯ）、情報処理ユニットは、データブラウザ画面Ｄ３上で操作が行われたか否かを判断し（ステップＳ３５１）、操作が行われれば（ステップＳ３５１：ＹＥＳ）、操作に応じた処理を行う。例えば、修正アイコンＮ１がクリックされれば、表示されている測定結果の情報の変更内容を入力するためのダイアログが表示され、変更が確定されると、記憶されている患者情報が変更され、画面が更新される。また、バリデートアイコンＮ２がクリックされると、表示されている測定結果が承認（バリデート）され、その測定結果がホストコンピュータＨＣに送信される。また、操作が行われなければ（ステップＳ３５１：ＮＯ）、ステップＳ３１１へ処理を戻す。
【０１３７】
本実施形態によれば、再測定が行われた検体の初回測定の測定結果（「Initial」）をデータブラウザ画面Ｄ３で閲覧している場合に、検体リンクボタンをクリックするだけで同一の検体の再測定の測定結果（「Initial/Repeat」等）を表示させることができる。したがって、本実施形態によれば、初回測定の測定結果を表示している状態から再測定の測定結果を表示させるために、一度データブラウザ画面Ｄ３を閉じてサンプルエクスプローラ画面Ｄ２に戻り、検体ＩＤを検索ボックスに入力して検索する、あるいは一覧表示されている測定結果をソートするという操作が不要であり、操作性が向上する。
【０１３８】
本実施形態によれば、データブラウザ画面Ｄ３を表示する指示を入力すると、同一の検体ＩＤを含む他の測定結果を検索し、他の測定結果が記憶されている場合にのみ当該他の測定結果に対応付けられた検体リンクボタンを表示する構成とした。これにより、ユーザは、検体リンクボタンの表示の有無を確認するだけで、データブラウザ画面に表示された測定結果と同一の検体ＩＤを含む他の測定結果が記憶されていることを知ることができる。したがって、初回測定の測定結果を表示させた場合には、再測定の測定結果に対応付けられた検体リンクボタンが表示されているか否かを確認することで、表示中の測定結果の検体が、少なくとも２回以上測定が行われた検体か、それとも１回しか測定されていない検体かを知ることができる。また、検体リンクボタンは、測定の回数に応じた個数だけ表示されるため、検体リンクボタンの数を数えるだけで、表示中の測定結果の検体について何回測定が行われたかを知ることができる。
【０１３９】
本実施形態では、データブラウザ画面Ｄ３のメイン表示領域Ａ２に表示されている測定結果に対応する検体リンクボタンを、他の検体リンクボタンと異なる表示形式で表示する構成とした。これにより、現在データブラウザ画面に表示されている測定結果が複数の検体リンクボタンのいずれに対応しているかが一目で理解できる。
【０１４０】
本実施形態では、複数の検体リンクボタンを、それぞれのボタンに対応付けられている測定結果の測定が行われた順に左から並べて表示する構成とした。これにより、左から順に検体リンクボタンをクリックしていけば測定の順序に沿って測定結果を閲覧することができるため、ユーザにとって操作性が向上する。
【０１４１】
本実施形態では、検体リンクボタンに、それぞれのボタンに対応付けられている測定結果の基となる測定を行った測定ユニットの識別情報を表示する構成とした。これにより、ユーザは、検体リンクボタンを見るだけで、測定を行った測定ユニットを把握することができる。測定を行ったときのエラーの発生頻度や測定感度は、測定ユニットによって異なる場合がある。そのため、エラーが発生した測定結果をデータブラウザ画面を参照する場合には、いずれの測定ユニットで測定したかを知ることは、エラー発生原因を知るうえで重要な要素である。また、同じ測定項目を再測定したときに、１回目の測定と２回目の測定とで測定結果に差がある場合、測定ユニットの測定感度が影響していることが疑われる。そのため、測定ユニットの識別情報を検体リンクボタンとあわせて表示することで、ユーザにとって有用な情報を提供することができる。
【０１４２】
本実施形態によれば、一の測定結果をデータブラウザ画面Ｄ３で閲覧しているとき、前回値ボタンまたは次回値ボタンをクリックするだけで、表示されている測定結果の検体と同一の患者から採取された別の検体の測定結果を表示させることができる。
【０１４３】
本実施形態によれば、データブラウザ画面Ｄ３を表示する指示を入力すると、同一の患者ＩＤを含む他の測定結果を検索し、他の測定結果が記憶されている場合にのみ前回値／次回値ボタンを表示する構成とした。これにより、ユーザは、前回値／次回値ボタンが表示されているか否かを見るだけで、データブラウザ画面に表示している測定結果と同一患者ＩＤの他の測定結果が存在するかを知ることができる。
【０１４４】
本実施形態によれば、前回値ボタンをクリックすると、表示されている測定結果と同一の患者ＩＤを含む測定結果のうち直前に測定が行われた測定結果を表示する。また、次回値ボタンをクリックすると、表示されている測定結果と同一の患者ＩＤを含む測定結果のうち直後に測定が行われた測定結果を表示する。これにより、前回値／次回値ボタンをクリックしていくだけで時系列に沿って測定結果を閲覧することができる。
【０１４５】
本実施形態では、データブラウザ画面Ｄ３に表示される測定結果が同一患者ＩＤの測定結果のうち最古の測定結果である場合には、前回値ボタンを非表示にし、データブラウザ画面Ｄ３に表示される測定結果が同一患者ＩＤの測定結果のうち最新の測定結果である場合には、次回値ボタンを非表示にする構成とした。これにより、前回値／次回値ボタンが表示されているかを見るだけで、表示されている測定結果が最古の測定結果であるか、最新の測定結果であるかを容易に知ることができる。
【０１４６】
［他の実施形態の説明］
なお、本発明は上記の実施形態に限られず、種々の変更を伴い得る。
図１３は、他の実施形態に係る検体分析システムの全体構成を示す概略平面図である。この実施形態の検体分析システムは、上記実施形態と異なり、ホストコンピュータ２９０が複数の測定ユニットから得られた測定結果を一元管理している。ホストコンピュータ２９０は、図３に示す情報処理ユニット５の構成と同様の構成を備えており、操作者が入力部２９２を操作することにより、ホストコンピュータ２９０が備える測定結果データベースＤＢ１に格納された測定結果を、表示部２９１に表示させることができる。
【０１４７】
図１３に示すように、検体分析システム２００は、検体発送装置２１０と、搬送装置３００と、測定ユニット２３０ａ、２４０ａ、２５０ａと、塗抹標本作製装置２６０と、情報処理ユニット２２０と、検体回収装置２７０と、システム制御装置２８０とを備えている。情報処理ユニット２２０およびシステム制御装置２８０は、通信ネットワークを介してホストコンピュータ２９０と通信可能に接続されている。
【０１４８】
搬送装置３は、搬送ライン３１０ａ、３１０ｂ、３１０ｃ、３１０ｄを有し、これらの搬送ライン３１０ａ、３１０ｂ、３１０ｃ及び３１０ｄは図中横方向に延びるように互いに直列的に接続されている。搬送ライン３１０ａの後方には測定ユニット２３０ａと、測定ユニット２３０ａに検体を供給するサンプラ２３０ｂが配置されている。搬送ライン３１０ｂの後方には測定ユニット２４０ａと、測定ユニット２４０ａに検体を供給するサンプラ２４０ｂが配置されている。搬送ライン３１０ｃの後方には測定ユニット２５０ａと、測定ユニット２５０ａに検体を供給するサンプラ２５０ｂが配置されている。また、搬送ライン３１０ｄの後方には塗抹標本作製装置２６０が配置されている。測定ユニット２３０ａ、２４０ａ、２５０ａは、第１実施形態の測定ユニット２（３）と同様の構成である。サンプラ２３０ｂ、２４０ｂ、２５０ｂは、搬送ラインから検体ラックＬを搬入する機能、及び検体搬送ユニット４から搬送ラインへ検体ラックＬを搬出する機能を備えている点を除いては、第１実施形態の検体搬送ユニット４と同様の構成である。
【０１４９】
この検体処理システム１においては、複数の検体容器Ｔが収納された検体ラックＬが操作者によって検体発送装置２１０にセットされる。ラック収容部２０１にセットされた検体ラックＬは、図中矢印で示した経路を通って検体発送装置２１０から搬出され、搬送ライン３１０ａ、３１０ｂ、３１０ｃ、３１０ｄを経由して、検体回収装置７に回収される。検体発送装置２１０は、バーコードリーダ２１３を備えており、検体発送装置２１０にセットされた検体ラックＬに保持された検体容器Ｔのバーコードを読み取る。読み取られたバーコード情報は、システム制御装置２８０へ送られる。
【０１５０】
システム制御装置２８０は、受信したバーコード情報をホストコンピュータ２９０に送信するとともに測定オーダを問い合わせる。ホストコンピュータ２９０は、測定オーダの問い合わせを受信すると、バーコード情報に含まれる検体ＩＤに基づいて測定オーダを決定し、システム制御装置２８０に送る。システム制御装置２８０は、測定オーダを受信すると、受信した測定オーダに基づいて、検体ラックＬの搬送先を測定ユニット２３０ａ、２４０ａ、２５０ａ、塗抹標本作製装置２６０の中から決定する。システム制御装置２８０は、搬送先を決定すると、その搬送先のユニット（装置）に対応して設けられた搬送ラインまで検体ラックＬを搬送するよう搬送装置３００を制御する。以下では、搬送先として測定ユニット２４０ａが決定された場合を例示して説明する。
【０１５１】
システム制御装置２８０は、測定ユニット２４０ａに検体ラックＬを搬送する場合、搬送ライン３１０ｂまで検体ラックＬを搬送するよう搬送装置３００を制御する。搬送ライン３１０ｂに検体ラックＬが到着すると、システム制御装置２８０は、搬送ライン３１０ｂからサンプラ２４０ｂに検体ラックＬを搬入させる。サンプラ２４０ｂは、サンプラ２４０ｂに矢印で示したように検体ラックＬを搬入し、測定ユニット２４０ａに検体ラックＬを供給したのち、再び搬送ライン３１０ｂに検体ラックＬを搬出する。
【０１５２】
測定ユニット２４０ａは、供給された検体ラックＬに保持された検体容器Ｔから検体を吸引し、初回測定を実行する。測定ユニット２４０ａが検体を測定して得られた測定データは、情報処理ユニット２２０に送られる。情報処理ユニット２２０は、測定データを解析してホストコンピュータ２９０に測定結果を送る。ホストコンピュータ２９０は、受信した測定結果を「Initial」のオーダ種別とともに測定結果データベースＤＢ１に格納する。
【０１５３】
ホストコンピュータ２９０は、測定結果を格納するとともに、受信した測定結果に基づいて検体の再測定の要否を判定する。再測定が必要であると判定すると、ホストコンピュータ２９０は、再測定を行うべく追加オーダを生成する。追加オーダが生成されると、ホストコンピュータ２９０は、システム制御装置２８０に追加オーダを送信する。システム制御装置２８０は、追加オーダを受信すると、受信した追加オーダ情報に基づいて、搬送先を決定する。ここでは、測定ユニット２４０ａの下流側に配置された測定ユニット２５０ａが搬送先として決定されたとする。
【０１５４】
システム制御装置２８０は、測定ユニット２５０ａに検体ラックＬを搬送する場合、搬送ライン３１０ｃまで検体ラックＬを搬送するよう搬送装置３００を制御する。搬送ライン３１０ｃに検体ラックＬが到着すると、システム制御装置２８０は、搬送ライン３１０ｃからサンプラ２５０ｂに検体ラックＬを搬入させる。サンプラ２５０ｂは、検体ラックＬを搬入し、測定ユニット２５０ａに検体ラックＬを供給したのち、再び搬送ライン３１０ｃに検体ラックＬを搬出する。
【０１５５】
測定ユニット２５０ａは、供給された検体ラックＬに保持された検体容器Ｔから検体を吸引して再測定を実行する。測定ユニット２５０ａが検体を測定して得られた測定データは、情報処理ユニット２２０に送られる。情報処理ユニット２２０は、測定データを解析してホストコンピュータ２９０に測定結果を送る。ホストコンピュータ２９０は、受信した測定結果を、追加オーダの種別とともに測定結果データベースＤＢ１に格納する。上記の処理によって、ホストコンピュータ２９０の測定結果データベースＤＢ１に測定結果が蓄積される。上記したように、ホストコンピュータ２９０は、操作者が入力部２９２を操作することにより、測定結果データベースＤＢ１に格納された測定結果を表示部２９１に表示させることができる。
【０１５６】
なお、図１３に示した例では、１台の情報処理ユニット２２０が複数の測定ユニットからの測定データを集約的に情報処理しているが、情報処理ユニット２２０が複数台設けられていてもよい。
【０１５７】
上記の実施形態では、検体分析装置が自動的に再測定を実行する構成を示したが、これに限られない。例えば、検体分析装置は、セットされた検体ラックを１回のみ測定し、ユーザが、測定結果を参照した結果、再測定が必要である判断した場合に、ユーザがマニュアルで再測定のオーダを入力し、再測定を実行させる構成であってもよい。
【０１５８】
上記の実施形態では、検体リンクボタンＸまたは前回値／次回値ボタンＹをクリックすると、メイン表示領域Ａ２に表示されている測定結果が切り替わる構成を例示したが、これに限られない。例えば、検体リンクボタンに予め対応付けられている測定結果をポップアップ表示する構成であってもよい。この形態を図１４を参照して説明する。図１４は、データブラウザ画面の変形例を示す図である。データブラウザ画面Ｄ４の構成は図１２のデータブラウザ画面とほぼ同じ構成であるので、詳細な説明は省略する。
【０１５９】
図１４を参照して、検体リンクボタンＸ１に対応する「Initial」の測定結果がメイン表示領域Ａ２に表示されているとする。この状態で、検体リンクボタンＸ２がクリックされると、検体リンクボタンＸ２に予め対応付けられた測定結果である「Initial/Repeat」の測定結果を表示する別ウィンドウＤ５がポップアップ表示される。ウィンドウＤ５の上部に設けられたタイトルバーＤ５１には、表示されている測定結果のオーダ種別、測定を実行した測定ユニットの識別番号が表示される。これにより、ウィンドウＤ５に表示されている測定結果が何回目の測定によるものかを一目で把握することができる。
【０１６０】
ウィンドウＤ５は、データブラウザ画面Ｄ４の検体リンクボタンＸをクリックすることで最大３個まで表示させることができる。各ウィンドウは重畳させて表示させることができ、各測定結果を並べて表示することもできる。
【０１６１】
なお、上記では検体リンクボタンＸをクリックした場合を例にとって説明したが、前回値ボタンＹ１および次回値ボタンＹ２をクリックした場合も同様に別ウィンドウがポップアップ表示される。
【０１６２】
上記の実施形態では、「Reflex」を測定する際に、「Initial」又は「Initial/Repeat」の測定項目に加えて、追加の測定項目を測定する例を示した。これに限らず、「Reflex」を測定する際に、追加の測定のみを測定する形態であってもよい。
【０１６３】
上記の実施形態では、測定結果に異常数値が含まれている場合に「Rerun」を測定し、測定結果に含まれている数値が所定の数値範囲に入っている場合に「Reflex」を測定する形態を示したが、再測定が必要であると判定する条件としては様々な条件を設定することができ、特に限定されない。例えば、数値範囲はユーザが任意に設定できるようにしてもよい。また、再測定の条件は、数値範囲に限られない。例えば、ある検体の測定結果が得られると、その検体と同一の患者から採取された過去の検体を測定結果データベースの中から検索し、それらを比較し、両者の測定結果に顕著な違いが検知された場合に、再測定が必要であると判定する形態であってもよい。また、数値データではなく、スキャッタグラムやヒストグラムのパターンを解析して、解析結果に基づいて再測定の要否を判定する形態であってもよい。
【０１６４】
上記の実施形態では、検体リンクボタンをデータブラウザ画面Ｄ３に重ねて表示する形態を示したが、これに限られない。例えば、検体リンクボタンは、データブラウザ画面Ｄ３の画面外に表示されていてもよい。
【０１６５】
上記の実施形態では、他の測定結果の表示指示を入力するために検体リンクボタンを設けた例を示したが、検体リンクボタンに代えて所定の文字列を表示しておき、これにハイパーリンクを設定する形態でもよい。
【０１６６】
上記の実施形態では、画面上で検体リンクボタンをクリックすることで、検体リンクボタンに予め対応付けられている測定結果の表示指示が入力される形態を示したが、表示指示は、画面から入力されるものに限られない。例えば、データブラウザ画面Ｄ３とともに関連する測定結果を表示するための操作に関するメッセージを表示し、メッセージに記された操作が行われると、関連する測定結果を表示する構成であってもよい。
【０１６７】
この形態の一例として図１５を参照して説明する。図１５（ａ）は、データブラウザ画面に表示されるメッセージの一例を示した図である。図１５（ｂ）は、データブラウザ画面に表示されるメッセージを表示が切り替わる順序に沿って模式的に示した図である。
【０１６８】
この形態では、あらかじめ一つの測定結果に関連する他の測定結果のそれぞれについて、キーボードの特定のキーを割り当てておき、データブラウザ画面Ｄ３とともに、図１５（ａ）のメッセージＭＳＧ１を表示する。特定のキー入力を受け付けると、入力されたキーに対応する測定結果を表示する。図１５（ａ）の例では、「Initial/Repeat」に割り当てられているＦ２キーが押されると、「Initial/Repeat」の測定結果のデータブラウザ画面が表示される。「Reflex」に割り当てられているＦ３キーが押されると、「Reflex」の測定結果のデータブラウザ画面が表示される。
【０１６９】
さらなる別の形態として、図１５（ｂ）のメッセージをデータブラウザ画面Ｄ３とともに表示する。特定のキー（Ｔａｂキー）のキー入力を受け付けると、表示される測定結果を順次切り替える。図１５（ｂ）を参照して説明すると、「Initial」の測定結果がデータブラウザ画面に表示中の場合、メッセージＭＳＧ２が表示される。このメッセージＭＳＧ２が表示されている状態でＴａｂキーが押下されると、データブラウザ画面には「Initial/Repeat」の測定結果が表示されるとともに、メッセージＭＳＧ２は、メッセージＭＳＧ３に切り替わる。このように、Ｔａｂキーが押下される毎に「Initial」、「Initial/Repeat」、「Reflex」、「Reflex/Repeat」の順に表示される測定結果が切り替わり、それに伴って表示されるメッセージも切り替わる。
【０１７０】
上記の実施形態では、血液分析装置を例にとって説明したが、本発明は、患者から採取された臨床検体を分析する装置であれば広く適用することができる。例えば尿分析装置、免疫分析装置、凝固時間測定装置、生化学分析装置などであってもよい。
【符号の説明】
【０１７１】
１００  …  検体分析装置
２  …  測定ユニット
３  …  測定ユニット
４  …  検体搬送ユニット
５  …  情報処理ユニット
５１  …  コンピュータ本体
５１ｄ  …  ハードディスク
ＤＢ１  …  測定結果データベース
５２  …  表示部
５３  …  入力部
Ｄ１  …  メニュー画面
Ｄ２  …  サンプルエクスプローラ画面
Ｄ３  …  データブラウザ画面
Ｘ１〜Ｘ４  …  検体リンクボタン
Ｙ１  …  前回値ボタン
Ｙ２  …  次回値ボタン
【図１】
0005791954.tif 000002
【図２】
0005791954.tif 000003
【図３】
0005791954.tif 000004
【図４】
0005791954.tif 000005
【図５】
0005791954.tif 000006
【図６】
0005791954.tif 000007
【図７】
0005791954.tif 000008
【図８】
0005791954.tif 000009
【図９】
0005791954.tif 000010
【図１０】
0005791954.tif 000011
【図１１】
0005791954.tif 000012
【図１２】
0005791954.tif 000013
【図１３】
0005791954.tif 000014
【図１４】
0005791954.tif 000015
【図１５】
0005791954.tif 000016